(57)【要約】【課題】容易に取り付け可能な水切り材の取付構造を提供する。【解決手段】水切り材の取付構造は、上下方向に隣り合って配置された窓どうしの間に設けられた無目４０に水切り材７０を取り付ける水切り材の取付構造であって、押圧力を付与する押圧部５５Ｘと、押圧部５５Ｘの押圧力を受ける水切り材の被押圧部７１と、被押圧部７１に設けられ、無目４０に設けられた係止部５４ａ，５６ａに係止される被係止部７４，７５と、を備え、押圧部５５Ｘは、係止部５４ａ，５６ａと被係止部７４，７５との係止方向への押圧力を加えることを特徴とする。【選択図】図３
2017180043.tif 000002
【特許請求の範囲】
【請求項１】
開口部に設けられた建具に水切り材が取り付けられた水切り材の取付構造であって、
押圧力を付与する押圧部と、
前記建具または前記水切り材に設けられ、前記押圧部の前記押圧力を受ける被押圧部と、
前記建具に設けられた係止部と、
前記水切り材に設けられ、前記係止部に係止される被係止部と、を備え、
前記押圧部は、前記係止部と前記被係止部との係止方向への前記押圧力を加えることを特徴とする水切り材の取付構造。
【請求項２】
前記建具は、
上下方向に隣り合って配置された一対の窓と、
該一対の窓の間に設けられた無目と、を有し、
前記被押圧部が前記水切り材に設けられるとともに、前記係止部が前記無目に設けられている請求項１に記載の水切り材の取付構造。
【請求項３】
前記被係止部は、前記被押圧部の見込み方向の両側に設けられている請求項１または２に記載の水切り材の取付構造。
【請求項４】
前記押圧部は、先端で前記被押圧部を押圧する螺子である請求項１から３のいずれか一項に記載の水切り材の取付構造。
【発明の詳細な説明】
【技術分野】
【０００１】
本発明は、開口部に配置される建具の水切り材の取付構造に関するものである。
【背景技術】
【０００２】
従来から、開口部に配置される建具には、建具から排水される水が外壁材の内部や屋内に浸入することを防止するために、水切り材が設けられている。例えば、特許文献１に記載のように、建具の下枠に沿って配置され垂直に立ち上がる起立片と、起立片から屋外側に延出する上面部と、上面部の屋外側の端部から下方に垂下した室外面部と、を備えた水切り材が知られている。この水切り材は、起立片が建具の下枠にビスで固定されている。
【先行技術文献】
【特許文献】
【０００３】
【特許文献１】特開２０１２−６７５３８号公報
【発明の概要】
【発明が解決しようとする課題】
【０００４】
しかしながら、上記の特許文献１に記載された水切り材を建具の下枠に取り付ける際には、水切り材の起立片にビス孔を前加工しておく必要があり、手間がかかり煩雑であるという問題点がある。
【０００５】
そこで、本発明は、上記事情に鑑みてなされたものであり、容易に取り付け可能な水切り材の取付構造を提供する。
【課題を解決するための手段】
【０００６】
上記目的を達成するために、本発明は以下の手段を採用している。
すなわち、本発明に係る水切り材の取付構造は、開口部に設けられた建具に水切り材が取り付けられた水切り材の取付構造であって、押圧力を付与する押圧部と、前記建具または前記水切り材に設けられ、前記押圧部の前記押圧力を受ける被押圧部と、前記建具に設けられた係止部と、前記水切り材に設けられ、前記係止部に係止される被係止部と、を備え、前記押圧部は、前記係止部と前記被係止部との係止方向への前記押圧力を加えることを特徴とする。
【０００７】
このように構成された水切り材の取付構造では、押圧部が、建具または水切り材に設けられた被押圧部に対して押圧力を加える。当該押圧力は、建具に設けられた係止部と水切り材に設けられた被係止部との係止方向への押圧力であるため、被押圧部から係止方向の押圧力が伝達され、被係止部は係止部に係止される。これにより、水切り材が建具に取り付けられる。よって、押圧部を押圧するだけで水切り材が取り付けられるため、容易に取り付けることができる。
【０００８】
また、本発明に係る水切り材の取付構造では、前記建具は、上下方向に隣り合って配置された一対の窓と、該一対の窓の間に設けられた無目と、を有し、前記被押圧部が前記水切り材に設けられるとともに、前記係止部が前記無目に設けられている。
【０００９】
このように構成された水切り材の取付構造では、上下方向に隣り合って配置された一対の窓の間には、無目が設けられている。押圧部が、水切り材の被押圧部に対して押圧力を加える。当該押圧力が水切り材の被押圧部から水切り材の被係止部に伝達され、被係止部は無目の係止部に係止されることで、水切り材は無目に取り付けられる。よって、水切り材に螺子孔の加工等が不要であり、押圧部が水切り材を押圧するだけで取り付けられるため、容易に取り付けることができる。
【００１０】
また、本発明に係る水切り材の取付構造では、前記被係止部は、前記被押圧部の見込み方向の両側に設けられていることが好ましい。
【００１１】
このように構成された水切り材の取付構造では、被係止部は被押圧部の見込み方向の両側に設けられているため、水切り材は見込み方向の両側で無目に確実に取り付けられる。
【００１２】
また、本発明に係る水切り材の取付構造では、前記押圧部は、先端で前記被押圧部を押圧する螺子であってもよい。
【００１３】
このように構成された水切り材の取付構造では、押圧部は先端で被押圧部を押圧する螺子であるため、螺子を螺合するだけで水切り材を無目に取り付けることができる。
【発明の効果】
【００１４】
本発明に係る水切り材の取付構造によれば、水切り材を無目に容易に取り付けることができる。
【図面の簡単な説明】
【００１５】
【図１】本発明の一実施形態に係る水切り材の取付構造を示す縦断面図である。
【図２】本発明の一実施形態に係る水切り材の取付構造の要部の縦断面図である。
【図３】図２のＡ部拡大図である。
【図４】本発明の一実施形態の変形例に係る水切り材の取付構造の要部の縦断面図である。
【図５】図４のＢ部拡大図である。
【発明を実施するための形態】
【００１６】
以下、本発明の一実施形態に係る水切り材の取付構造について、図１から図３を用いて説明する。本実施形態では、建築物の開口部に設けられる建具の一例として、上側にＦＩＸ窓（嵌め殺し窓）、下側に縦辷り出し窓を配置した段窓（建具）について説明する。
図１は、本発明の一実施形態に係る水切り材の取付構造を示す縦断面図である。
図１に示すように、上側のＦＩＸ窓（窓）１００と下側の縦辷り出し窓（窓）２００は、無目４０及びアタッチメント６０を介して連結されている。
【００１７】
ＦＩＸ窓１００は、四角形枠状に形成された枠体１と、枠体１内に嵌め込まれた例えばペアガラス等の複層ガラス２と、を備えている。枠体１は、単窓用の枠体である。
なお、以下の説明において、正面視における左右方向を見付け方向と称することがある。見付け方向のうち複層ガラス２の中心に向かう方向を見付け方向の内側とし、反対方向を見付け方向の外側と称することがある。また、複層ガラス２の厚み方向を見込み方向と称することがある。
【００１８】
枠体１は、水平方向に延在する上枠１１及び下枠１２と、上枠１１の両端部と下枠１２の両端部とをそれぞれ連結し上下方向に延在する不図示の縦枠と、を有している。
【００１９】
上枠１１は、屋外側に設けられ金属製の金属上枠１１Ａと、屋内側に設けられ樹脂製の樹脂上枠１１Ｂと、を有している。金属上枠１１Ａと樹脂上枠１１Ｂとは連結されている。
【００２０】
下枠１２は、屋外側に設けられ金属製の金属下枠１２Ａと、屋内側に設けられ樹脂製の樹脂下枠１２Ｂと、を有している。金属下枠１２Ａと樹脂下枠１２Ｂとは連結されている。
【００２１】
図２は、ＦＩＸ窓１００と縦辷り出し窓２００との窓連結構造の要部の縦断面図である。
図２に示すように、金属下枠１２Ａは、樹脂下枠１２Ｂを支持する樹脂支持板部１３と、樹脂支持板部１３に連続して屋外側に延びるガラスパネル支持板部１４と、を有している。
【００２２】
樹脂支持板部１３の屋内側の端部には、下方に向かって垂下する取付板部１５が設けられている。取付板部１５の下端部には、屋外側に向かって屈曲した屈曲壁部１５ａが設けられている。
【００２３】
金属下枠１２Ａには、樹脂支持板部１３の見込み方向の途中部分から、屋外側に向かうにしたがって次第に下方に向かって傾斜する傾斜板部１６が設けられている。傾斜板部１６は、屋外側の方が傾斜角度が緩くなるように形成されている。
【００２４】
ガラスパネル支持板部１４と傾斜板部１６とは、連結板部１７により連結されている。傾斜板部１６の見込み方向の途中部分には、下方に向かって垂下する垂下壁部１８が設けられている。垂下壁部１８の下端部には、屋内側に向かって屈曲した屈曲壁部１８ａが設けられている。
【００２５】
傾斜板部１６の屋外側の端部には、下方に向かって屈曲した縦板部１９が設けられている。
【００２６】
図３は、図２のＡ部拡大図である。
図３に示すように、縦板部１９の下端部には、屋内側に向かって屈曲した横板部２０が設けられている。横板部２０の屋内側の端部には、下方に向かって屈曲した取付板部２１が設けられている。
【００２７】
一方、縦辷り出し窓２００は、図１に示すように、四角形枠状に形成された枠体３と、枠体３内に嵌め込まれた例えばペアガラス等の複層ガラス４と、を備えている。枠体３は、単窓用の枠体である。
【００２８】
枠体３は、水平方向に延在する上枠３１及び下枠３２と、上枠３１の両端部と下枠３２の両端部とをそれぞれ連結し上下方向に延在する不図示の縦枠と、を有している。
【００２９】
上枠３１は、屋外側に設けられ金属製の金属上枠３１Ａと、屋内側に設けられ樹脂製の樹脂上枠３１Ｂと、を有している。金属上枠３１Ａと樹脂上枠３１Ｂとは連結されている。
【００３０】
下枠３２は、屋外側に設けられ金属製の金属下枠３２Ａと、屋内側に設けられ樹脂製の樹脂下枠３２Ｂと、を有している。金属下枠３２Ａと樹脂下枠３２Ｂとは連結されている。
【００３１】
図２に示すように、金属上枠３１Ａは、上部に配置された横板部３３と、横板部３３の屋内側の端部から屋内側に向かうにしたがって次第に上方に傾斜する傾斜板部３４と、を有している。
【００３２】
横板部３３の屋外側の端部には、上方に向かって屈曲した縦板部３５が設けられている。縦板部３５の上端部には、屋内側に向かって屈曲した係止壁部３５ａが設けられている。
【００３３】
傾斜板部３４の屋内側の端部には、上方に向かって延びる取付板部３６が設けられている。取付板部３６の上端部には、屋外側に向かって屈曲した屈曲壁部３６ａが設けられている。
【００３４】
無目４０は、鉛直面に沿って配置された基板部４１と、基板部４１の上部から屋外側の向かうにしたがって次第に下方に傾斜する第一傾斜板部４２と、基板部４１の下部から屋外側の向かって延びる延出壁部４３と、を有している。
【００３５】
基板部４１の上下端部には、それぞれ屋内側に向かって延びる腕部４４が設けられている。
【００３６】
第一傾斜板部４２の屋外側の端部には、屋外側の向かうにしたがって次第に下方に傾斜する第二傾斜板部４５が設けられている。
【００３７】
延出壁部４３の屋外側の端部には、屋外側の向かうにしたがって次第に下方に傾斜する第三傾斜板部４６が設けられている。第三傾斜板部４６の屋外側の端部には、屋外側に向かって延びる横板部４７が設けられている。
【００３８】
図３に示すように、横板部４７の屋外側の端部４７ａ近傍には、上方に向かって延びる屈曲壁部４８が設けられている。屈曲壁部４８の上端部には、屋外側に向かって延びる横壁部４９が設けられている。横板部４７の端部４７ａは、屈曲壁部４８よりも屋外側に突出している。
【００３９】
横壁部４９の屋外側の端部には、屋外側に向かうにしたがって次第に上方に傾斜する第四傾斜板部５０が設けられている。
【００４０】
第二傾斜板部４５の屋外側の端部と第四傾斜板部５０の屋外側の端部とは連結しつつ、連結箇所から屋外側に向かって延びる延出板部５１が設けられている。
【００４１】
延出板部５１の屋外側の端部には、屋外側に向かうにしたがって次第に上方に傾斜する上向き壁部５２及び屋外側に向かうにしたがって次第に下方に傾斜する下向き壁部５３が設けられている。
【００４２】
上向き壁部５２の屋外側の端部には、上方に向かって屈曲した取付壁部５４が設けられている。取付壁部５４の下端部には、上向きに凹む係止凹部（係止部）５４ａが形成されている。
【００４３】
下向き壁部５３の屋外側の端部には、屋外側に向かって延びる取付壁部５５が設けられている。
【００４４】
取付壁部５５の屋外側の端部には、上下方向に延びる封止壁部５６が設けられている。封止壁部５６の上下端部には、それぞれ屋内側に向かって屈曲した係止壁部（係止部）５６ａ、係止壁部５６ｂが設けられている。係止壁部５６ｂは、縦辷り出し窓２００の金属上枠３１Ａの係止壁部３５ａの上面に沿って配置されている。
【００４５】
アタッチメント６０は、ＦＩＸ窓１００及び縦辷り出し窓２００の見付け方向の略中央に配置されているが、配置される箇所は適宜選択可能である。
【００４６】
アタッチメント６０は、無目４０の横板部４７の下面に沿って配置された取付板部６１と、取付板部６１の屋外側の端部から上方に向かって屈曲した段部６２と、段部６２の上端部から屋外側に向かって延びる延出板部６３と、を有している。
【００４７】
延出板部６３の屋外側の端部近傍には、上方に向かって屈曲した上向き壁部６４が設けられている。上向き壁部６４の上端部には、屋外側に向かって延びる係止壁部６５が設けられている。延出板部６３の屋外側の端部６３ａは、上向き壁部６４よりも屋外側に突出している。
【００４８】
次に、無目４０とＦＩＸ窓１００並びに縦辷り出し窓２００との連結構造、及びアタッチメント６０と縦辷り出し窓２００及び無目４０との連結構造について説明する。
【００４９】
図２に示すように、ＦＩＸ窓１００の金属下枠１２Ａの屋内側において、金属下枠１２Ａの取付板部１５と、無目４０の基板部４１の上部とは、螺子４１Ｘで螺合されている。金属下枠１２Ａの屈曲壁部１５ａは、無目４０の第一傾斜板部４２の屋内側の上面に沿って配置されている。
【００５０】
図３に示すように、ＦＩＸ窓１００の金属下枠１２Ａの屋外側において、金属下枠１２Ａの取付板部２１と、無目４０の取付壁部５４とは、螺子５４Ｘで螺合されている。金属下枠１２Ａの屈曲壁部１８ａは、無目４０の第一傾斜板部４２の屋外側の上面に沿って配置されている。
【００５１】
図２に示すように、縦辷り出し窓２００の金属上枠３１Ａの屋内側において、金属上枠３１Ａの取付板部３６と、無目４０の基板部４１の下部とは、螺子４１Ｙで螺合されている。金属上枠３１Ａの屈曲壁部３６ａは、無目４０の延出壁部４３の屋内側の下面に沿って配置されている。
【００５２】
図３に示すように、アタッチメント６０の取付板部６１の屋内側は、無目４０の横板部４７の屋外側に螺子６１Ｘで螺合されている。
【００５３】
アタッチメント６０の係止壁部６５は、無目４０の係止壁部５６ｂに係止されている。また、縦辷り出し窓２００の金属上枠３１Ａの係止壁部３５ａは、延出板部６３の屋外側の端部６３ａに係止されている。
【００５４】
このように、ＦＩＸ窓１００の金属下枠１２Ａは、屋内側で取付板部１５が螺子４１Ｘで無目４０に連結されるとともに、屋外側で取付板部２１が螺子５４Ｘで無目４０に連結されている。
【００５５】
一方、縦辷り出し窓２００の金属上枠３１Ａは、屋内側で取付板部３６が螺子４１Ｙで無目４０に連結されるとともに、屋外側で係止壁部３５ａが無目４０と連結されたアタッチメント６０の延出板部６３の端部６３ａに係止されている。
【００５６】
無目４０の屋外側には、水切り材７０が設けられている。
水切り材７０は、後述する押圧螺子５５Ｘに押圧される被押圧板部（被押圧部）７１と、被押圧板部７１の屋外側の端部から屋外側に向かうにしたがって次第の下方に傾斜する傾斜面部７２と、傾斜面部７２の屋外側の端部から鉛直下向きに垂下する垂下面部７３と、を有している。
【００５７】
水切り材７０の被押圧板部７１の屋内側の端部には、上方に突出する上向き片部（被係止部）７４が設けられている。また、被押圧板部７１の屋外側の下面には、下向きに突出し、先端が屋外側に屈曲した係止片部（被係止部）７５が設けられている。
【００５８】
無目４０の取付壁部５５には、貫通孔５５Ｈが形成されている。貫通孔５５Ｈには、下方から挿通された押圧螺子（押圧部）５５Ｘが螺合されている。押圧螺子５５Ｘは、取付壁部５５の見付け方向の両端部に設けられているが、当該箇所は適宜選択可能である。
【００５９】
押圧螺子５５Ｘの先端部５５Ｚは、平坦に形成されている。押圧螺子５５Ｘの先端部５５Ｚは、水切り材７０の被押圧板部７１の下面を上方（係止方向）に押圧している。
【００６０】
水切り材７０は押圧螺子５５Ｘからの上方に押圧されることにより、上向き片部７４は無目４０の取付壁部５４の係止凹部５４ａに係止され、係止片部７５は無目４０の係止壁部５６ａに係止される。このように、水切り材７０は、見込み方向の両側（屋内側及び屋外側）で無目４０に係止されている。これらの係止により、水切り材７０は無目４０に対して相対的に上方へ移動することが規制されている。
本実施形態では、無目４０の係止凹部５４ａ、係止壁部５６ａと、押圧螺子５５Ｘと、水切り材７０の被押圧板部７１、上向き片部７４、係止片部７５とが、水切り材の取付構造１０を構成している。
【００６１】
また、ＦＩＸ窓１００の金属下枠１２Ａの横板部２０と水切り材７０の被押圧板部７１との間には、屋外側の位置にシール材Ｓ１が設けられている。これにより、雨水は、横板部２０と被押圧板部７１との間において、シール材Ｓ１よりも屋内側に浸入することが抑制される。そして、雨水は、水切り材７０の被押圧板部７１から傾斜面部７２に沿い、垂下面部７３に沿って流下する。
【００６２】
また、水切り材７０の垂下面部７３と縦辷り出し窓２００の金属上枠３１Ａの縦板部３５との間には、垂下面部７３の下部の位置にシール材Ｓ２が設けられている。これにより、雨水は、垂下面部７３と縦板部３５との間において、シール材Ｓ２よりも上方に浸入することが抑制される。
【００６３】
また、図２に示すように、無目４０の屋内側には、カバー材８０が設けられている。カバー材８０は、カバー本体８１と、カバー本体８１から屋外側に延びる上部延出片８２、上部係止片８３、下部係止片８４及び下部延出片８５と、を有している。
【００６４】
カバー本体８１は、ＦＩＸ窓１００の樹脂下枠１２Ｂの屋内側の端部２７から縦辷り出し窓２００の樹脂上枠３１Ｂの屋内側の端部３７にわたって配置されている。
【００６５】
上部延出片８２は、ＦＩＸ窓１００の樹脂下枠１２Ｂの屋内側の端部２７の下面に沿って配置されている。
【００６６】
上部係止片８３の先端部は、無目４０の上側の腕部４４の下部に係止されている。下部係止片８４の先端部は、無目４０の下側の腕部４４の上部に係止されている。
【００６７】
下部延出片８５は、縦辷り出し窓２００の樹脂上枠３１Ｂの屋内側の端部３７の上面に沿って配置されている。
【００６８】
次に、上記のように構成されたＦＩＸ窓１００と縦辷り出し窓２００との連結方法について説明する。
予め工場等で、無目４０とアタッチメント６０とを、螺子６１Ｘにより螺合して、アタッチメント６０の係止壁部６５を無目４０の係止壁部５６ｂに係止させたものを用意する。
まず、建物の開口部に、ＦＩＸ窓１００の枠体１を躯体に固定した後に、金属下枠１２Ａにアタッチメント６０が取り付けられた無目４０を螺子４１Ｘ，５４Ｘで螺合する。
【００６９】
次に、水切り材７０の上向き片部７４及び係止片部７５を、それぞれ無目４０の係止凹部５４ａ及び係止壁部５６ａに係止させつつ、下方から押圧螺子５５Ｘで水切り材７０を上方に押圧する。押圧した状態で、水切り材７０に左右方向の力を加えると、左右方向の位置を微調整することは可能である。
【００７０】
次に、アタッチメント６０の延出板部６３の端部６３ａに縦辷り出し窓２００の金属上枠３１Ａの係止壁部３５ａを係止させつつ、金属上枠３１Ａとアタッチメント６０とを螺子４１Ｙで螺合する。そして、縦辷り出し窓２００を躯体に固定する。
【００７１】
次に、ＦＩＸ窓１００の金属下枠１２Ａの横板部２０と水切り材７０の被押圧板部７１との間、及び水切り材７０の垂下面部７３と縦辷り出し窓２００の金属上枠３１Ａの縦板部３５との間に、それぞれシール材Ｓ１，Ｓ２を設置する。これにより、水切り材７０は固定され、左右方向への移動が規制される。
【００７２】
次に、無目４０の屋内側から、カバー材８０の上部係止片８３及び下部係止片８４を、それぞれ無目４０の上下の腕部４４に係止させて、カバー材８０を設置する。
【００７３】
このように構成された水切り材の取付構造１０では、押圧螺子５５Ｘが、水切り材７０の被押圧板部７１に対して押圧力を加える。当該押圧力は、無目４０の係止凹部５４ａ、係止壁部５６ａと被押圧板部７１に設けられた上向き片部７４、係止片部７５との係止方向への押圧力であるため、被押圧板部７１から上向き片部７４、係止片部７５に係止方向の押圧力が伝達され、上向き片部７４、係止片部７５は係止凹部５４ａ、係止壁部５６ａに係止される。これにより、水切り材７０が無目４０に取り付けられる。よって、水切り材７０に螺子孔の加工等が不要であり、押圧螺子５５Ｘを押圧するだけで水切り材７０が取り付けられるため、容易に取り付けることができる。
【００７４】
また、上向き片部７４、係止片部７５は被押圧板部７１の見込み方向の両側に設けられているため、水切り材７０は見込み方向の両側で無目４０に確実に取り付けられる。
【００７５】
また、押圧螺子５５Ｘは無目４０に螺合され、先端部５５Ｚで被押圧板部７１を押圧する螺子であるため、螺子を螺合するだけで水切り材７０を無目４０に取り付けることができる。
【００７６】
なお、本発明に係る水切り材の取付構造１０は、上述した実施形態に限定されるものではなく、本発明の要旨を逸脱しない範囲で適宜の変更や置換等が可能である。
以下に、上述した実施形態の変形例について説明するが、上述した実施形態で説明した部品や部材等と同一または同様なものについては、同一の符号を用いて説明する。
【００７７】
（変形例）
次に、変形例に係る水切り材の取付構造について、主に図４及び図５を用いて説明する。
上記に示す実施形態に係る建具では、上下方向に窓が配置された段窓であり、水切り材は無目に取り付けられていたが、本変形例では、単窓であり、水切り材は下枠に取り付けられている。
【００７８】
図４及び図５に示すように、引違い窓１０１Ｘの金属下枠１１２Ａの下部には、下方に向かって垂下する取付板１１３が設けられている。
【００７９】
取付板１１３は、金属下枠１１２Ａの下部から下方に延びる垂下部１１４と、垂下部１１４の下端部から屈曲されて屋外側に延びる屈曲部１１５と、屈曲部１１５の屋外側の端部から下方に延びる被押圧板部（被押圧部）１１６と、を有している。
【００８０】
また、取付板１１３において、垂下部１１４の屋外側の面から屈曲部１１５の上面にかけて屋内側に凹む係止凹部（係止部）１１７が形成されている。
【００８１】
一方、水切り材１７０は、傾斜面部７２と、垂下面部７３と、傾斜面部７２の上端部から上方に延びる係止壁部１７１と、傾斜面部７２の上端部から屋内側に延出する延出壁部１７２と、延出壁部１７２の屋内側の端部から上方に延びる取付壁部１７３と、を有している。
【００８２】
係止壁部１７１は、金属下枠１１２Ａの被押圧板部１１６の屋外側の面に沿って配置されている。
【００８３】
係止壁部１７１の上端部には、屋内側に向かって屈曲した係止片部（被係止部）１７１ａが設けられている。係止片部１７１ａは、金属下枠１１２Ａの係止凹部１１７に屋外側から係止されている。
【００８４】
取付壁部１７３には、貫通孔１７３Ｈが形成されている。貫通孔１７３Ｈには、屋内側から挿通された押圧螺子（押圧部）１５５Ｘが螺合されている。
【００８５】
押圧螺子１５５Ｘの先端部１５５Ｚは、平坦に形成されている。押圧螺子１５５Ｘの先端部１５５Ｚは、金属下枠１１２Ａの被押圧板部１１６を屋外側に向かって押圧している。
【００８６】
つまり、金属下枠１１２Ａの被押圧板部１１６には、水切り材１７０の係止壁部１７１に密着する方向（係止方向）の力が作用する。被押圧板部１１６と係止壁部１７１とか密着することにより、係止壁部１７１の上端部に設けられた係止片部１７１ａは、被押圧板部１１６の上部に設けられた係止凹部１１７に係止される。当該係止により、水切り材７０は金属下枠１１２Ａに取り付けられる。
【００８７】
なお、上述した実施の形態において示した各構成部材の諸形状や組み合わせ等は一例であって、本発明の主旨から逸脱しない範囲において設計要求等に基づき種々変更可能である。
【００８８】
例えば、上記に示す実施形態では、建具の一例として、上側にＦＩＸ窓、下側に縦辷り出し窓を例に挙げて説明したが、本発明はこれに限られず、上側及び下側の窓は引違い窓、框ドア等他の建具であってもよい。
【００８９】
また、上記に示す実施形態では、押圧部の一例として押圧螺子５５Ｘ，１５５Ｘを例に挙げて説明したが、本発明はこれに限られず、被押圧部に係止方向の押圧力を付与する板バネやコイルバネ等であってもよい。これら板バネやコイルバネは、例えば被押圧板部７１と無目４０の取付壁部５５との間に設けられていればよい。
【符号の説明】
【００９０】
１，３…枠体
２，４…複層ガラス
１０…水切り材の取付構造
１１…上枠
３１…上枠
１２…下枠
３２…下枠
１１Ａ，３１Ａ…金属上枠
１１Ｂ，３１Ｂ…樹脂上枠
１２Ａ，３２Ａ…金属下枠
１２Ｂ，３２Ｂ…樹脂下枠
４０…無目
４１…基板部
４１Ｘ…螺子
４１Ｙ…螺子
４７ａ…端部
５４…取付壁部
５４ａ，１１７…係止凹部（係止部）
５４Ｘ…螺子
５５…取付壁部
５５Ｘ，１５５Ｘ…押圧螺子（押圧部）
５６ａ…係止壁部（係止部）
５６ｂ…係止壁部
６１Ｘ…螺子
６０…アタッチメント
６３ａ…端部
７０…水切り材
７１，１１６…被押圧板部（被押圧部）
７４…上向き片部（被係止部）
７５…係止片部（被係止部）
８０…カバー材
１００…ＦＩＸ窓（窓）
１７１ａ…係止片部（被係止部）
２００…縦辷り出し窓（窓）
【図１】
2017180043.tif 000003
【図２】
2017180043.tif 000004
【図３】
2017180043.tif 000005
【図４】
2017180043.tif 000006
【図５】
2017180043.tif 000007